(57)【特許請求の範囲】
【請求項１】
体毛の切断処理または体毛の脱毛処理を行う体毛処理部と、体毛処理用の処理剤を吐出する処理剤供給部とを備え、処理剤供給部は処理剤が充填されている処理剤容器と、該処理剤容器を加圧する加圧手段とからなり、加圧手段がばねを加圧力発生部材としているものであるとともに、加圧手段はばねと該ばねで付勢されたリンク部材とからなり且つ処理剤容器内の処理剤の減少時に処理剤容器に対する加圧力を増大させるアクチュエータを備えていることを特徴とする体毛処理装置。
【請求項２】
加圧手段は体毛処理部を備えた本体に固定されていることを特徴とする請求項１記載の体毛処理装置。
【請求項３】
加圧手段は処理剤容器を覆うカバーの内面に固定されていることを特徴とする請求項１記載の体毛処理装置。
【請求項４】
加圧手段は処理剤容器に設けられていることを特徴とする請求項１記載の体毛処理装置。
【請求項５】
加圧手段は処理剤容器内の処理剤の減少に伴って加圧力が漸次増大するものであることを特徴とする請求項１記載の体毛処理装置。
【請求項６】
加圧手段は処理剤容器内の処理剤の減少に伴って加圧力が減少した後、増大するものであることを特徴とする請求項１記載の体毛処理装置。
【請求項７】
加圧手段は処理剤容器内の処理剤の減少にかかわらず加圧力が一定のものであることを特徴とする請求項１〜４のいずれか１項に記載の体毛処理装置。
【請求項８】
加圧手段におけるばねが円錐コイルばねであることを特徴とする請求項１〜４のいずれか１項記載の体毛処理装置。
【請求項９】
複数のアクチュエータが並設されているとともに、両アクチュエータを結ぶ連結軸がアクチュエータにおけるリンクと一体に形成されていることを特徴とする請求項１記載の体毛処理装置。
【請求項１０】
リンク部材の作動範囲を制限するストッパーを備えていることを特徴とする請求項１または９記載の体毛処理装置。
【請求項１１】
ばねとリンクとの結合部材がスライダーで形成されていることを特徴とする請求項１または９または１０記載の体毛処理装置。
【請求項１２】
ばねがリンク部材の内部に配置されていることを特徴とする請求項１または９または１０または１１記載の体毛処理装置。
【請求項１３】
加圧手段は処理剤容器に接する押さえ板の略中央部を押圧するものであることを特徴とする請求項１〜１２のいずれか１項に記載の体毛処理装置。
【請求項１４】
ばねは容器の加圧方向と直交する方向がばね力発生方向となっていることを特徴とする請求項１記載の体毛処理装置。
【請求項１５】
処理剤容器との接触面に弾性部材を配設していることを特徴とする請求項１〜１４のいずれか１項記載の体毛処理装置。
【発明の詳細な説明】
【０００１】
【発明の属する技術分野】
本発明は体毛処理用の処理剤の吐出機能を備えている体毛処理装置に関するものである。
【０００２】
【従来の技術】
体毛の切断処理または体毛の脱毛処理を行う体毛処理装置に体毛処理用の処理剤（シェービング液等）を吐出する機能を設けたものがある。たとえば、特開昭５７−１５０９９２号公報や実開昭５９−１０８５７２号公報には、体毛処理用の処理剤が充填されている処理剤容器と、処理剤容器から処理剤を送り出すダイヤフラムポンプとを設けたものが示されている。
【０００３】
【発明が解決しようとする課題】
しかし、モータ駆動で作動するダイヤフラムポンプで処理剤を吐出するものでは、構造が複雑でコストが高くなる、モータの駆動音やダイヤフラムの作動音がする、負荷が大きくなるために電流消費が大きくて電池寿命が短くなる、大型になって使い勝手が悪い、各機構をスムーズに動かすために潤滑剤が必要となるといった問題点を有している。
【０００４】
実開昭６０−５７３６４号公報には手動によって動かすポンプで石けん水を吐出させるものが示されているが、この場合、ポンプを動かす力によって吐出量が変動してしまうものであるとともに安定した量の石けん水を吐出させることが難しい。
【０００５】
本発明はこのような点に鑑みなされたものであって、その目的とするところは処理剤の吐出機能を低コストで付加することができる上に処理剤の安定した吐出を行うことができる体毛処理装置を提供するにある。
【０００６】
【課題を解決するための手段】
しかして本発明は、体毛の切断処理または体毛の脱毛処理を行う体毛処理部と、体毛処理用の処理剤を吐出する処理剤供給部とを備え、処理剤供給部は処理剤が充填されている処理剤容器と、該処理剤容器を加圧する加圧手段とからなり、加圧手段がばねを加圧力発生部材としているものであるとともに、加圧手段はばねと該ばねで付勢されたリンク部材とからなり且つ処理剤容器内の処理剤の減少時に処理剤容器に対する加圧力を増大させるアクチュエータを備えていることに特徴を有している。処理剤容器内の処理剤の減少時に加圧力が増大するアクチュエータを備えた加圧手段によるばね力を利用して処理剤容器を加圧して処理剤を押し出すものである。
【０００７】
上記加圧手段は体毛処理部を備えた本体に固定されていても、処理剤容器を覆うカバーの内面に固定されていても、処理剤容器に設けていてもよい。
【０００８】
また、処理剤容器内の処理剤の減少時に加圧力が増大するアクチュエータを備える加圧手段は、処理剤容器内の処理剤の減少に伴って加圧力が漸次増大するものであっても、処理剤容器内の処理剤の減少に伴って加圧力が減少した後、増大するものであってもよい。
【０００９】
また、加圧手段は処理剤容器内の処理剤の減少にかかわらず加圧力が一定のものであってもよい。
【００１０】
加圧手段におけるばねは円錐コイルばねとするのが好ましい。
【００１１】
また、複数のアクチュエータを並設するとともに、両アクチュエータを結ぶ連結軸をアクチュエータにおけるリンクと一体に形成しておくとよい。
【００１２】
上記リンク部材の作動範囲を制限するストッパーを備えたものとするのも好ましい。ばねとリンクとの結合部材をスライダーで形成したり、ばねをリンク部材の内部に配置してもよい。
【００１３】
いずれにしても、加圧手段は処理剤容器に接する押さえ板の略中央部を押圧するものであることが望ましい。
【００１５】
また、ばねは容器の加圧方向と直交する方向がばね力発生方向となっていることが好ましい。
【００１６】
処理剤容器との接触面に弾性部材を配設するのも好ましい。
【００１７】
【発明の実施の形態】
以下本発明を実施の形態の一例に基づいて詳述すると、図示例の体毛処理装置は、体毛（髭）の切断を行う電気かみそりであって、体毛の切断処理を行う体毛処理部６を具備する本体１と、この本体１の外面に着脱もしくは開閉自在に配されているカバー２と、体毛処理用の処理剤が充填されている処理剤容器３と、該処理剤容器３を加圧して処理剤を本体１の体毛処理部６の近傍に位置させた吐出部５から吐出させる加圧手段４とで構成されている。
【００１８】
まず本体１から説明すると、この本体１は、筒状のハウジング１０内に駆動用モータ１１と電源としての電池１２とをシャーシ１８を介して収納したもので、その上端に位置する体毛処理部６は、ネット状の外刃と往復駆動される内刃とからなるネット刃６１を２組備えるとともに、スリット状の外刃と往復駆動される内刃とからなるスリット刃６２を１組備えたものとなっており、これらにおける各内刃は、モータ１１の回転を往復動に変換する駆動子１４，１４とスリット刃用駆動子１５とに連結されている。図中１９はモータ１１のオンオフ用のスイッチである。
【００１９】
上記本体１の一面にはカバー２が着脱自在に配されているとともに、本体１とカバー２との間の空間の上部に吐出部５が配設され、下部に加圧手段４と処理剤容器３とが配設されている。
【００２０】
ここにおける処理剤容器３は、柔軟性を有する縦長の袋として形成されたもので、その上端には接続口３０を備えている。
【００２１】
また、本例における加圧手段４は、カバー２の内面との間で処理剤容器３を挟持することになる押さえ板４０と、上下一対の圧縮コイル型のばね４１，４１と、ばねを利用した一対のアクチュエータ４２，４２とからなるもので、本体１の外面と押さえ板４０との間に配されたこれらばね４１，４１及びアクチュエータ４２，４２による付勢で押さえ板４０はカバー２の内面側に向けてばね付勢されており、このためにカバー２と押さえ板４０との間に処理剤容器３を配した時、処理剤容器３は常に加圧された状態となる。
【００２２】
なお、上記アクチュエータ４２は、図１６に示すように、両端が本体１への固定部４２７、４２７に固定されたガイド軸４２４と、このガイド軸４２４に被せられたコイルばね型のばね４２０と、一端が一方の固定部４２７に連結されたリンク４２１と、一端が上記ガイド軸４２４に沿ってスライドするスライダー４２６に連結されるとともに他端が上記リンク４２１の他端に連結されたリンク４２２とを備えてるとともに、リンク４２１，４２２同士を連結する連結軸４２３を左右一対のアクチュエータ４２，４２で共有しているもので、ばね４２０によるスライダー４２６の付勢で連結軸４２３が押さえ板４０側に突出するものとなっている。
【００２３】
吐出部５は図７〜図９に示すように、ベース５７と、このベース５７の側面の弧状溝５７２にスライド係合するリブ５０１を備えているヘッド部５０と、ベース５７とヘッド部５０との間に配されてヘッド部５０を上方に向けて付勢するばね５５，５５と、ヘッド部５０内に上下動自在に配されている可動体５２と、ヘッド部５０の下部に固定されている受け部材５４と、受け部材５４の接続口５４０と上記ベース５７との間をつないでいる可撓性を有するチューブ５６と、ヘッド部５０の上端面に設けた複数の吐出口５００に夫々配したボール５１とからなるもので、吐出口５００の上端開口径ｄ１はボール５１の直径Ｄより小さく、且つ吐出口５００の下部開口径ｄ２はボール５１の直径Ｄより大きくされており、受け部材５４との間に配されたばね５３によって上方に向けて付勢されている上記可動体５２によって、上記の各ボール５１が回転自在に受けられている。
【００２４】
また可動体５２の下方に突出する軸部５２０は受け部材５４を貫通して接続口５４０の下方に突出しているのであるが、この軸部５２０の下端部には逆止弁５２１として機能することになるＯリングが装着されている。図中５４１は受け部材５４の外周とヘッド部５０の内周との間のシール用のＯリング、５６０は屈曲自在なゴム体で形成されて上記チューブ５６の中に配されることでチューブ５６内の流路断面積を小さくしているチューブ芯、５６１はベース５７内に配されてベース５７における下部の接続口５７０からチューブ５６に至る内部流路の断面積を絞って処理剤の流量を一定にする中空パイプ、５７１は処理剤容器３の接続口３０が着脱自在に接続される接続口５７０の外周に装着されて、接続口３０との間のシールを行うＯリングである。
【００２５】
この吐出部５においては、ベース５７に対してヘッド部５０がばね５５によって上方へ付勢されており、さらにヘッド部５０に対して可動体５２及びボール５１が上方へ付勢されており、この状態では上記逆止弁５２１が閉じているとともにボール５１が吐出口５００を閉じているが、ヘッド部５０の上端を肌に押し付ければ、図１０に示すようにボール５１及び可動体５２がばね５３に抗して沈んで吐出口５００を開くとともに逆止弁５２１を開くものであり、このために上記加圧手段４で加圧されている処理剤容器３内の処理剤は、接続口３０からベース５７内とチューブ５６内を通り、開いている逆止弁５２１並びにヘッド部５０内面と可動体５１の溝が形成されている外面との間の空間を通じて吐出口５００から外部に吐出される。さらに強くヘッド部５０の上端を肌に押し当てれば、ヘッド部５０がばね５５に抗して沈み込むフロート動作がなされる。
【００２６】
加圧手段４で処理剤容器３を常時加圧していることから、処理剤は常に押し出されて吐出部５のヘッド部５０に向かうものの、ヘッド部５０の上端面を肌に押し当てないことには処理剤の吐出がなされないものである。また、上向きだけでなく下向きや横向きに使用されても処理剤の吐出量は変化せず、処理剤を均一に肌に塗布することができるものとなっている。なお、図２，図３及び図８に示した調節ねじ２９は処理剤の吐出量の調整用のもので、その先端は吐出部５のベース５７の内部流路内に突出している。
【００２７】
図１２は処理剤容器３内の処理剤が減ってきた時点での状態を示しており、さらに図１３〜図１５は処理剤がすべて吐出された時点での状態を示している。このように処理剤が無くなった時には、図１４に示すように、押さえ板４０が本体１に装着した検知スイッチ４９を押して接点を切り替えるために、本体１内の制御駆動回路を実装した基板１３上に搭載した発光ダイオード１３０が点灯するとともにこの点灯がカバー２における透光部を通じて視認することができるために、使用者は処理剤容器３の交換時期にあることを知ることができる。なお、押さえ板４０は図１１に示すように、処理剤容器３の幅よりも大きく且つ本体１に対する位置決め係止部１０５，１０６も処理剤容器３の外側にくるようにしておくことが好ましい。処理剤容器３内の処理剤の残量を少なくすることができるからである。同様の理由で押さえ板４０の処理剤容器３に接する面は、カバー２の内面と同じ形状としてある。また、押さえ板４０の上端と吐出部５の接続口５７０に接続される処理剤容器３の剛体からなる接続口３０との間の部分は、押さえ板４０で絞ることができない部分であるが、この部分に関しては、図１３に示すように、本体１及びカバー２からリブ１７を突出させておくとよい。
【００２８】
処理剤容器３の交換は、カバー２における着脱釦２０をばね付勢に抗して押して本体１との係合を解除することでカバー２を取り外し、古い処理剤容器３を取り外した後、新しい処理剤容器３の接続口３０を吐出部５の接続口５７０に接続し、カバー２を再度装着することで行う。処理剤容器３から吐出口５００に至る流路の全容積及び流路断面積は小さくされているために、吐出部５の内部への無駄な処理剤の滞留量は少なく、このために初めて処理剤容器３を装填して使用する時にも処理剤の吐出はすぐになされる。
【００２９】
ところで、加圧手段４として前記アクチュエータ４２を用いているのは次の理由による。すなわち、コスト的な点からすれば、図１８及び図１９に示すように、上下一対のばね４１，４１だけで加圧手段４を構成してもよく、特にばね４１として円錐コイルばねを用いることで、ばね４１の密着長を短くしてばね４１が圧縮された時のばね４１の配置スペースを小さくできて小型化が可能であるが、この場合、図２０に示すように、処理剤容器３内の処理剤の量が多い初期には加圧手段４（ばね４１）による加圧加重が高く、処理剤の量が減少するにつれて加圧加重が低くなる。そして、処理剤の吐出量は加圧加重が高いほど多くなることから、上記構成では初期の吐出量が多く、処理剤が減少するにつれて吐出量が少なくなってしまう。
【００３０】
一方、上記アクチュエータ４２であれば、図２１に示すように、押さえ板４０を押す力ｆはばね４２０のばね力Ｆに対して
ｆ＝２Ｆtanθ
となって、ばね４２０が伸びて角度θが大きくなるほど加重ｆを大きくすることができるために、図２２に示すように、処理剤の容量が減少するにつれて加重がいったん小さくなった後に増大する(i)ようにしたり、処理剤の容量が減少するにつれて加重が高くなる(iii)ように、あるいは処理剤の減少にかかわらず加重を一定にする(ii)ことができるものであり、特に上記ばね４１，４１と組み合わせることで初期加重を大きくして処理剤容器３の加圧に備えるとともに処理剤の容量減少につれてアクチュエータ４２による加圧加重の補助（図２３のハッチング部）が作用して処理剤の吐出量の減少を防ぐ構成とすることで、処理剤の残容量にかかわらず、一定量の処理剤の吐出を行うことができるものとなる。
【００３１】
なお、アクチュエータ４２は図２４に示す単独で用いてもよいのであるが、押さえ板４０の幅方向中央を押すことが好ましいことを考えると、ばね４１，４１の配置との関係で配置スペースを確保することが難しい上に、充分な強度や機能（ばね加重値を含む）を持たせることが困難となる。このためにここでは２つのアクチュエータ４２を左右に配して、連結軸４２３で押さえ板４０を押す構成をとっている。なお、ここにおける連結軸４２３は、左右のアクチュエータ４２，４２におけるリンク４２２，４２２と一体の部品として形成することで、部品数の削減及び強度の向上を図っている。
【００３２】
アクチュエータ４２におけるスライダー４２６は、ばね４２０の力でリンク４２１がスムーズに動くようにしてばね加重のロスを低減する。また、図１６，１７，２４中のストッパー４２５は、リンク４２１，４２２の作動範囲を処理剤の吐出に必要な範囲に制限（連結軸４２３の突出量を規制）することで、新しい処理剤容器３に交換してカバー２を装着する際の加圧手段４に抗する力が大きくなりすぎることがないようにしているものである。
【００３３】
なお、加圧手段４における加圧中心点が図２８に示すように処理剤容器３の中央部からずれていると、容器３に途中から加重が加わりにくくなり、処理剤容器３を効果的に加圧することができなくなる。これに対して、図２９に示すように、処理剤容器３のほぼ中心を加圧するようにしておくと、処理剤容器３内の処理剤が下ってきても、容器３を確実に加圧することができる。
【００３４】
加圧手段４はカバー２側に設けてもよい。つまり、図２５に示すように、カバー２の内面にばね４１や押さえ板４０を取り付けて、処理剤容器３を本体１の外面に向けて押圧するようにしておくのである。
【００３５】
図２６に示すように、処理剤容器３内に加圧手段４を内蔵させてもよい。図中２５は処理剤容器３の抜き差しのためにカバー２の底面部に設けた開閉蓋である。
【００３６】
図２７に示すものも、処理剤容器３内に加圧手段４を内蔵させたものであるが、ここでは加圧手段４を容器３の奥側に配置し、容器３の前面には逆止弁を備えた注入口３６を設けて、カバー２の開口部２６から注入口３６を通じて処理剤を容器３に充填することができるようにしている。
【００３７】
図３０に上記アクチュエータ４２の他例を示す。ここでは引っ張りコイルばね型のばね４２０をリンク４２１，４２２間に配置している。アクチュエータ４２の小型化を図ることができる。
【００４０】
ところで、処理剤容器３を柔軟な材質のもので形成した場合、図３１に示すように、容器３に皺３３が発生して、図３２(a)に示すように皺３３の周辺の処理剤を加圧することができなくなることがある。この点に対しては、図３２(b)に示すように、押さえ板４０の容器３側の表面に弾性材４８を取り付けておくとよい。皺３３の存在にもかかわらず、容器３の全面を加圧することができる。なお、弾性材４８は図３３に示すように、押さえ板４０の表面にではなく、カバー２の内面側に設けてもよい。もちろん、押さえ板４０とカバー２の両方に弾性材４８を取り付けて、容器３の両面に弾性材４８，４８が接するようにしてもよい。
【００４１】
以上の例では本体１が髭剃り用の体毛処理部６を備えたものを示したが、図３４に示すように、モータ７５によって回転駆動される脱毛ブロック７０に開閉駆動される脱毛爪７１を設けた脱毛用の体毛処理部７を備えたものであってもよい。
【００４２】
【発明の効果】
以上のように本発明においては、体毛の切断処理または体毛の脱毛処理を行う体毛処理部と、体毛処理用の処理剤を吐出する処理剤供給部とを備え、処理剤供給部は処理剤が充填されている処理剤容器と、該処理剤容器を加圧する加圧手段とからなり、加圧手段がばねを加圧力発生部材としているものであり、ばね力を利用して処理剤容器を加圧して処理剤を押し出すために、処理剤の吐出にポンプ等の高コスト部材を必要とせず、低コストで提供することができる上に、手動で処理剤を吐出させる場合に比して、吐出量を安定させることができる。しかも上記加圧手段は、ばねと該ばねで付勢されたリンク部材とからなり且つ処理剤容器内の処理剤の減少時に処理剤容器に対する加圧力を増大させるアクチュエータを備えているために、容器内の処理剤の残量が減った時に吐出量も減少してしまうことを避けることができて体毛処理を常に快適に行うことができるものであり、また上記アクチュエータを備えているために、上記の加圧加重特性を簡単に得ることができる。
【００４３】
上記加圧手段は体毛処理部を備えた本体に固定しておくと、本体の駆動時の振動が加圧手段の動作の摩擦抵抗を軽減してスムーズな動きを得ることができる。
【００４４】
また、加圧手段を処理剤容器を覆うカバーの内面に固定しておけば、処理剤容器は本体側に接することになり、本体の駆動時の振動が容器内の処理剤成分のチンでを防止することになる。
【００４５】
また加圧手段が本体やカバーにあると、処理剤容器の装着にあたって加圧手段を避けて容器の装着を行わなければならないが、加圧手段を処理剤容器に設けておけば、処理剤容器と加圧手段との干渉が問題となることはなく、処理剤容器の装着をたとえばスロットイン方式で行うことが可能となる。
【００４７】
この時、加圧手段は処理剤容器内の処理剤の減少に伴って加圧力が漸次増大するものであっても、処理剤容器内の処理剤の減少に伴って加圧力が減少した後、増大するものであってもよい。残量が殆どない状態でも所要の吐出量を確保することができる。
【００４８】
また、加圧手段は処理剤容器内の処理剤の減少にかかわらず加圧力が一定のものであれば、吐出量をもっとも安定させることができる。
【００４９】
加圧手段におけるばねは円錐コイルばねとするのが好ましい。ばねの配置スペースが少なくてすむものであり、これ故に処理剤容器として容量の大きいものを用いることができる。
【００５１】
加圧手段におけるアクチュエータは複数を並設するとともに、両アクチュエータを結ぶ連結軸をアクチュエータにおけるリンクと一体に形成しておくと、所要の加圧加重特性を備えるとともに強度の高い加圧手段を少ない部品数で得ることがでできる。
【００５２】
上記リンク部材の作動範囲を制限するストッパーを備えたものとしておけば、加圧手段の加重に抗した処理剤容器の装着を容易に行うことができるものとなる。
【００５３】
ばねとリンクとの結合部材をスライダーで形成しておけば、スムーズな動きを容易に得ることができて、ばね加重のロスを低減させ、所要の特性を安定的に発揮させることができる。
【００５４】
ばねをリンク部材の内部に配置しておけば、アクチュエータの小型化が可能となり、加圧手段の占有スペースを小さくすることができる。
【００５５】
また、加圧手段は処理剤容器に接する押さえ板の略中央部を押圧するものであることが望ましく、このようにしておくことで、処理剤が減ってきた時も容器を均等に加圧することができて、より多くの処理剤を押し出すことができる。
【００５７】
また、ばねは容器の加圧方向と直交する方向がばね力発生方向となっていることが、加重制御の精度を高くすることができる点で好ましい。
【００５８】
さらに処理剤容器との接触面に弾性部材を配設しておけば、容器の表面を満遍なく加圧することができて、処理剤を有効に吐出することができる。
【図面の簡単な説明】
【図１】  本発明の実施の形態の一例の縦断面図である。
【図２】  同上の正面図である。
【図３】  同上の一部を破断した側面図である。
【図４】  同上の水平断面図である。
【図５】  同上の本体部の分解斜視図である。
【図６】  同上の処理剤吐出関係部材の分解斜視図である。
【図７】  同上の吐出部の分解斜視図である。
【図８】  同上の吐出部の縦断面図である。
【図９】  同上の吐出部の横断面図である。
【図１０】  同上の吐出部の処理剤吐出時の横断面図である。
【図１１】  同上のカバーを外した状態の正面図である。
【図１２】  同上の縦断面図である。
【図１３】  同上の縦断面図である。
【図１４】  同上の縦断面図である。
【図１５】  同上の水平断面図である。
【図１６】  同上のアクチュエータの斜視図である。
【図１７】  同上のアクチュエータの分解斜視図である。
【図１８】  加圧手段がばねだけである例の縦断面図である。
【図１９】  同上の押さえ板とばねの斜視図である。
【図２０】  (a)(b)(c)は同上の特性図である。
【図２１】  同上のアクチュエータの説明図である。
【図２２】  同上のアクチュエータの特性図である。
【図２３】  加圧手段全体としての加圧加重の特性図である。
【図２４】  アクチュエータの他例の斜視図である。
【図２５】  他の例の縦断面図である。
【図２６】  更に他の例の斜視図である。
【図２７】  別の例の斜視図である。
【図２８】  (a)(b)は加重点が端にある場合の状態の断面図である。
【図２９】  (a)(b)は加重点が中央にある場合の断面図である。
【図３０】  アクチュエータの更に他例の斜視図である。
【図３１】  (a)は容器の斜視図、(b)は容器の部分拡大図である。
【図３２】  (a)は加圧時の断面図、(b)は弾性材を併用した場合の加圧時の断面図である。
【図３３】  他の例の部分縦断面図である。
【図３４】  他の実施の形態の一例の縦断面図である。
【符号の説明】
１  本体部
２  カバー
３  処理剤容器
４  加圧手段
５  吐出部
６  体毛処理部
【図１】
0003716793.tif 000002
【図２】
0003716793.tif 000003
【図３】
0003716793.tif 000004
【図４】
0003716793.tif 000005
【図５】
0003716793.tif 000006
【図６】
0003716793.tif 000007
【図７】
0003716793.tif 000008
【図８】
0003716793.tif 000009
【図９】
0003716793.tif 000010
【図１０】
0003716793.tif 000011
【図１１】
0003716793.tif 000012
【図１２】
0003716793.tif 000013
【図１３】
0003716793.tif 000014
【図１４】
0003716793.tif 000015
【図１５】
0003716793.tif 000016
【図１６】
0003716793.tif 000017
【図１７】
0003716793.tif 000018
【図１８】
0003716793.tif 000019
【図１９】
0003716793.tif 000020
【図２０】
0003716793.tif 000021
【図２１】
0003716793.tif 000022
【図２２】
0003716793.tif 000023
【図２３】
0003716793.tif 000024
【図２４】
0003716793.tif 000025
【図２５】
0003716793.tif 000026
【図２６】
0003716793.tif 000027
【図２７】
0003716793.tif 000028
【図２８】
0003716793.tif 000029
【図２９】
0003716793.tif 000030
【図３０】
0003716793.tif 000031
【図３１】
0003716793.tif 000032
【図３２】
0003716793.tif 000033
【図３３】
0003716793.tif 000034
【図３４】
0003716793.tif 000035